(57)【要約】【課題】天井板を天井下地材の下底面に固着して支持する天井構造にあって、少ない部品点数で、高い耐震性を実現し得る天井下地材を提供する。【解決手段】  天井下地材１ａを、天井板３を固着する水平な固定面部２３を底部に備える板固定部２２と、該板固定部２２から上方に延出する垂直な主板部２０と、該主板部２０の上端に形成されてハンガー５が固着される膨隆形状の係止隆部２１とによって構成し、さらに、前記主板部２０の側面及び／又は端部に、他の天井板下地材と連結して格子状の格子枠を形成するための連結部を配設する。【選択図】図５
2014231701.tif 000002
【特許請求の範囲】
【請求項１】
下底面に天井板を固着する金属製の長尺な天井下地材であって、
天井板を固着する略水平な固定面部を備える板固定部と、
該板固定部から上方に延出する垂直な主板部と、
該主板部の上端に形成されてハンガーが固着される膨隆形状の係止隆部と
を備えてなり、
前記主板部の側面及び／又は端部には、他の天井板下地材と連結して格子状の格子枠を形成するための連結部が設けられていることを特徴とする天井下地材。
【請求項２】
板固定部、主板部、及び係止隆部は、一枚の帯状金属板によって形成されるものであり、
該帯状金属板を幅方向に折り返して、折り返した部分の断面を環状に膨隆させることにより係止隆部が形成され、
折り返した帯状金属板を、係止隆部の下端から二枚重ねて垂下させることにより主板部が形成され、
該主板部の下端で、帯状金属板を長手方向に沿った線で折り曲げることにより板固定部が形成されていることを特徴とする請求項１に記載の天井下地材。
【請求項３】
板固定部は、主板部の下端部で、二枚重なり合った帯状金属板を夫々外方へ略直角に折り曲げてなり、主板部の下端から略水平に延出する部分を固定面部としていることを特徴とする請求項２に記載の天井下地材。
【請求項４】
固定面部の外端部には、帯状金属板を長手方向に沿った線で略直角に折り曲げて起立させてなる起立端部が形成されていることを特徴とする請求項３に記載の天井下地材。
【請求項５】
固定面部の下底面に、該固定面部の長手方向に沿った複数の凹溝が形成されており、該凹溝形成部位にタッピンねじをねじ込んで天井板を固着するよう構成されていることを特徴とする請求項１乃至請求項４のいずれか１項に記載の天井下地材。
【請求項６】
固定面部の下底面に、該固定面部の長手方向と直交する方向の凹溝が、固定面部の長手方向に沿って複数並成されており、
前記各凹溝は底部に向けてテーパー状に縮幅し、各凹溝の底部には、前記固定面部の長手方向と直交する方向のスリットが形成されており、該スリット形成部位にステープルを打ち込んで天井板を固着するよう構成されていることを特徴とする請求項１乃至請求項４のいずれか１項に記載の天井下地材。
【請求項７】
前記凹溝は、固定面部の長手方向に沿って略隙間なく並成されており、固定面部の長手方向の両端部には、前記凹溝が形成されていない凹溝非形成部が設けられていることを特徴とする請求項６に記載の天井下地材。
【請求項８】
請求項１乃至請求項７のいずれか１項に記載の天井下地材を複数本組み付けて格子状にした格子枠と、
該格子枠を構成する天井下地材の固定面部に固着される天井板と、
格子枠を構成する天井下地材の係止隆部に固着されて格子枠を吊り下げるハンガーと
を備えることを特徴とする天井構造。
【発明の詳細な説明】
【技術分野】
【０００１】
本発明は、天井板を天井下地材の下底面に固着して支持する天井構造に関する。
【背景技術】
【０００２】
天井板を天井下地材の下底面に固着して支持する従来の天井構造では、天井下地材として、野縁と呼ばれる角筒状の金属部材が用いられる（特許文献１参照）。野縁は、間隔をおいて複数本平行に配置される。野縁の上には、野縁受けと呼ばれる長尺部材が各野縁と直交するように複数本配置されて、野縁と野縁受けの交差部分で両者が連結金具によって連結される。そして、ハンガーと呼ばれる金具を介して野縁受けを吊ボルトに連結することで、野縁が整列状態で吊持される。そして、かかる野縁の水平な下底面に、タッピンねじやステープルを用いて天井板が固着される。
【先行技術文献】
【特許文献】
【０００３】
【特許文献１】特開２００２−１０６１０４号公報
【発明の概要】
【発明が解決しようとする課題】
【０００４】
近年、地震の際に天井が落下するのを防止するために、天井構造の耐震性の向上が求められている。上記天井構造では、野縁と野縁受けの連結部分の強度が比較的低いため、野縁と野縁受けの間は、一般的な連結金具に加えて、補強部材を設けることが一般的になりつつある。そして、こうした地震対策による部品の種類と点数の増大が、上記天井構造のコストを上昇させ、また、施工性を悪化させている。
【０００５】
本発明は、上記現状に鑑みてなされたものであり、天井板を天井下地材の下底面に固着して支持する天井構造にあって、少ない部点点数で、高い耐震性を実現し得る天井下地材の提供を目的とする。
【課題を解決するための手段】
【０００６】
本発明は、下底面に天井板を固着する金属製の長尺な天井下地材であって、天井板を固着する略水平な固定面部を備える板固定部と、該板固定部から上方に延出する垂直な主板部と、該主板部の上端に形成されてハンガーが固着される膨隆形状の係止隆部とを備えてなり、前記主板部の側面及び／又は端部には、他の天井板下地材と連結して格子状の格子枠を形成するための連結部が設けられていることを特徴とする天井下地材である。
【０００７】
従来の天井下地材（野縁）が、連結金具によって野縁受けと連結して、野縁受けをハンガーで吊り下げているのに対して、本発明の天井下地材は直接ハンガーで吊り下げることができる。このため、本発明の天井下地材を採用すれば、従来の天井下地材に必要な野縁受けや連結金具に相当する部品を省略できる分だけ、部品の種類と点数を削減可能となる。また、かかる天井下地材には、ハンガーを直接固着できるため、野縁受けを介してハンガーに連結する従来の天井下地材と比べて、ハンガーと天井下地材との連結強度を高めることが可能となる。また、本発明の天井下地材は格子状に配置されるため、平行配置される従来の天井下地材に比べて、天井板を強固に支持できるという利点もある。
【０００８】
本発明にあって、板固定部、主板部、及び係止隆部は、一枚の帯状金属板によって形成されるものであり、該帯状金属板を幅方向に折り返して、折り返した部分の断面を環状に膨隆させることにより係止隆部が形成され、折り返した帯状金属板を、係止隆部の下端から二枚重ねて垂下させることにより主板部が形成され、該主板部の下端で、帯状金属板を長手方向に沿った線で折り曲げることにより板固定部が形成されていることが提案される。
【０００９】
かかる構成にあっては、天井下地材が一枚の帯状金属板を主体とする構成となるから、従来の天井下地材（野縁）と同等のコストで本発明の天井下地材を実現可能となる。
【００１０】
また、本発明の具体的構成として、板固定部は、主板部の下端部で、二枚重なり合った帯状金属板を夫々外方へ略直角に折り曲げてなり、主板部の下端から略水平に延出する部分を固定面部としている構成が提案される。
【００１１】
かかる構成によれば、板固定部を簡素な構成とすることができる。また、主板部の両側の固定面部に天井下地材を固着すれば、天井下地材によって天井板をバランスよく支持できる。
【００１２】
また、上記構成にあって、固定面部の外端部には、帯状金属板を長手方向に沿った線で略直角に折り曲げて起立させてなる起立端部が形成されていることが提案される。
【００１３】
かかる構成にあっては、起立端部によって、板固定部の剛性を高めることができる。また、起立端部は、固定面部の上に折り重なることなく起立しているため、固定面部に打ち込むタッピンねじやステープルが、起立端部と干渉するおそれがない。
【００１４】
また、本発明にあって、固定面部の下底面に、該固定面部の長手方向に沿った複数の凹溝が形成されており、該凹溝形成部位にタッピンねじをねじ込んで天井板を固着するよう構成されていることが提案される。
【００１５】
かかる構成にあっては、天井板を固定面部に固着する際に、タッピンねじの先端が凹溝に引っ掛かって滑り難くなるため、施工性を向上できる。
【００１６】
また、本発明にあって、固定面部の下底面に、該固定面部の長手方向と直交する方向の凹溝が、固定面部の長手方向に沿って複数並成されており、前記各凹溝は底部に向けてテーパー状に縮幅し、各凹溝の底部には、前記固定面部の長手方向と直交する方向のスリットが形成されており、該スリット形成部位にステープルを打ち込んで天井板を固着するよう構成されていることが提案される。
【００１７】
かかる構成にあっては、ステープルを固定面部に容易に打ち込み可能となるから、施工性を向上させることが可能となる。
【００１８】
また、本発明にあって、前記凹溝は、固定面部の長手方向に沿って略隙間なく並成されており、固定面部の長手方向の両端部には、前記凹溝が形成されていない凹溝非形成部が設けられていることが提案される。
【００１９】
固定面部の長手方向の端部にまで凹溝が形成されていると、当該端部で凹溝部分がバリとなって様々な不具合を引き起こすおそれがあるが、かかる構成によれば、こうした不具合を解消される。
【００２０】
また、本発明の別の態様は、上記本発明の天井下地材を複数本組み付けて格子状にした格子枠と、該格子枠を構成する天井下地材の固定面部に固着される天井板と、格子枠を構成する天井下地材の係止隆部に固着されて格子枠を吊り下げるハンガーとを備えることを特徴とする天井構造である。
【００２１】
かかる天井構造は、上記天井下地材によって構成されるため、従来の天井下地材（野縁）を用いた天井構造に比べて、部品点数が少なく、かつ、高い耐震性を有するものとなり得る。
【発明の効果】
【００２２】
以上のように、本発明によれば、従来の天井下地材（野縁）を用いた天井構造に比べて、部品点数が少なく、なおかつ、高い耐震性を有する天井構造を実現可能となる。
【図面の簡単な説明】
【００２３】
【図１】実施例の天井構造を示す斜視図である。
【図２】ハンガー５の斜視図である。
【図３】第一下地材１ａの斜視図である。
【図４】第一下地材１ａを縦断して示す端面図である。
【図５】第一下地材１ａに、天井板３及びハンガー５を固着した状態を示す説明図である。
【図６】連結部３０ａが形成された部位を拡大して示す第一下地材１ａの側面図である。
【図７】連結部３０ａが形成された部位を拡大して示す第一下地材１ａの横断面図である。
【図８】第二下地材１ｂの縦断面図である。
【図９】第二下地材１ｂの横断面図である。
【図１０】第一下地材１ａと第二下地材１ｂの連結方法を示す説明図である。
【図１１】第一下地材１ａと第二下地材１ｂの連結状態を示す横断面図である。
【図１２】変形例の天井下地材１ｃの縦断面図である。
【図１３】別の変形例の天井下地材１ｄの縦断面図である。
【図１４】別の変形例の天井下地材１ｅの縦断面図である。
【図１５】（ａ）は、図１４中のＡ−Ａ線端面図であり、（ｂ）は、天井下地材１ｅの底面図である。
【図１６】連結部３０ｃが形成された部位を拡大して示す、第三下地材１ｆの側面図である。
【図１７】端部を拡大して示す第四下地材１ｇの横断面図である。
【図１８】第三下地材１ｆと第四下地材１ｇの連結状態を示す縦断面図である。
【図１９】第三下地材１ｆと第四下地材１ｇの連結状態を示す横断面図である。
【発明を実施するための形態】
【００２４】
本発明の実施形態を、以下の実施例に従って説明する。
【００２５】
図１は、実施例の天井構造の斜視図である。図１に示すように、実施例の天井構造は、複数本の天井下地材１ａ，１ｂを格子状に組み付けてなる格子枠２と、該格子枠２の下底面に固着される天井板３と、格子枠２を吊ボルト４に連結するハンガー５とを備えている。
【００２６】
ハンガー５は、図２に示すように、金属板を成形加工してなる正面視縦長矩形状の金属片である。詳述すると、ハンガー５は、縦長矩形板状の基板部１０の上端に吊ボルト接続用突片部１１を形成するとともに、該基板部１０の下端に天井下地材１ａ，１ｂを挟持する挟持具１２を配設してなるものである。吊ボルト接続用突片部１１は、基板部１０の上縁から水平方向に延成されてなるものであり、その中央には吊ボルト４を挿通する貫通孔１３が形成される。なお、吊ボルト４は、一般的な天井構造に用いられているものであり、上端部をスラブ等に固定されて下端部を天井近くに垂下させている。
【００２７】
挟持具１２は、天井下地材１ａ，１ｂの係止隆部２１を挟持して連結するためのものである。この挟持具１２は、ねじで離近可能に連結された一対の鉤状挟持片部１２ａ，１２ｂで構成されるものであり、鉤状挟持片部１２ａ，１２ｂの間に天井下地材１ａ，１ｂの係止隆部２１を挟んでねじで締め付けることにより、係止隆部２１と固着するよう構成されたものである。なお、かかるハンガー５は、公知技術が好適に採用され得る。
【００２８】
天井板３には、天井下地材の下底面にタッピンねじで固着可能な公知の天井板全般を使用できる。すなわち、本実施例の天井板３は、タッピンねじが貫通可能な厚みと強度を有する板材であれば足りる。天井板の材料は特に限定されないが、ロックウール等を好適に用いることができる。
【００２９】
次に、本発明の要部に係る天井下地材１ａ，１ｂについて説明する。
天井下地材１ａ，１ｂは、帯状鋼板を成形してなる長尺部材であり、図１に示すように、格子状に組み付けられて格子枠２を構成する。格子枠２を構成する天井下地材は、第一下地材１ａと第二下地材１ｂとに大別される。第一下地材１ａと第二下地材１ｂは、連結構造が異なるだけで、縦断面形状は同じである。
【００３０】
第一下地材１ａは、図３，４に示すように、縦断面形状が略逆Ｔ字状となるように、一枚の帯状鋼板を長手方向の線に沿って折曲げ加工してなるものである。具体的には、第一下地材１ａは、垂直な主板部２０と、主板部２０の上端に形成される膨隆形状の係止隆部２１と、主板部２０の下端に形成される板固定部２２とによって構成される。
【００３１】
係止隆部２１は、帯状鋼板を幅方向の中央部分で折り返して、折り返した部分を断面矩形環状に膨隆させることにより形成されている。図５に示すように、この係止隆部２１を、ハンガー５の挟持具１２で抱え込むように締め付けることで、ハンガー５を第一下地材１ａに固着できる。
【００３２】
主板部２０は、係止隆部２１で折り返された帯状鋼板を、係止隆部２１の下端から二枚重ねた状態で垂下させることにより形成されている。図３に示すように、主板部２０には、重なった二枚の鋼板をかしめる、かしめ部２５が長手方向に沿って一定間隔で形成されており、これにより、主板部２０を構成する二枚の鋼板が分離したり、ずれたりしないようにしている。
【００３３】
板固定部２２は、主板部２０の下端で、主板部２０を構成する二枚の鋼板を夫々外方へ略直角に折り曲げて略水平方向に延出させることにより形成される。また、板固定部２２は、その外端で上方に折り曲げられて略垂直に起立している。この板固定部２２は、水平面に沿った平板部分を、天井板３を固着する固定面部２３としている。具体的には、図５に示すように、天井板３の上面を固定面部２３の下底面に被着させ、かかる状態で、下方からタッピンねじｓをねじ込んで、天井板３と固定面部２３を締結することで、天井板３を固定面部２３に固着し得るよう構成されている。
【００３４】
また、板固定部２２の外端を上方に折り曲げて形成された起立端部２４，２４は、板固定部２２の剛性を高めるためのものである。この起立端部２４は、内側に折り返されずに起立しているため、固定面部２３の外側寄り部分にタッピンねじｓがねじ込まれた場合でも、タッピンねじｓを起立端部２４と干渉させることなく円滑にねじ込むことができるという利点がある。
【００３５】
また、係止隆部２１の下面には、主板部２０の上端の両脇に、上方に窪むように形成された上部嵌合溝２６，２６が長手方向に沿って形成される。一方、板固定部２２の上面には、主板部２０の下端の両脇に、上方に隆起するリブ２７，２７が長手方向に沿って形成されており、このリブ２７と主板部２０との間に、下方に窪む長手方向に沿った下部嵌合溝２８，２８が形成される。この上部嵌合溝２６と下部嵌合溝２８には、例えば、第一下地材１ａを長手方向に連結する金具や、第一下地材１ａと第二下地材１ｂとの連結部分を補強する金具などを装着することができる。
【００３６】
さらに、第一下地材１ａの主板部２０の側面には、第二下地材１ｂとＴ字状に連結するための連結部３０ａが複数箇所に設けられる。図６，７に示されるように、連結部３０ａは、板面に沿った長手方向の嵌挿溝３１を備えている。嵌挿溝３１は、主板部２０を部分的に一側に切起こして膨隆部３２を形成し、該膨隆部３２の裏面側の空間部に形成される。この嵌挿溝３１は、後述する第二下地材１ｂの連結挿入部４０を挿入できる幅寸法に設定されており、一側の溝開口を、連結挿入部４０を挿入する挿入口３３とし、他側の溝開口を、連結挿入部４０の先端部４１が突き出る突出口３４としている。
【００３７】
また、嵌挿溝３１の突出口３４側近傍には、主板部２０の板面を切起こして突成させた係合突起３５が形成されている。かかる係合突起３５は、後述の係合溝孔４２と嵌合するものである。また、主板部２０には、後述する連結挿入部４０の位置決め溝孔４３と嵌合する位置決め突部３６が高さ方向の中央位置に形成される。この位置決め突部３６は、主板部２０にコ字状の切込み加工を施して、嵌挿溝３１の側に垂直に切り起こして形成したものである。
【００３８】
なお、図６，７に示すように、主板部２０の表裏には、連結部３０ａ，３０ａが対をなすように形成されており、これにより、第一下地材１ａの表裏対称位置に第二下地材１ｂを連結し得るようになっている。
【００３９】
次に第二下地材１ｂについて説明する。なお、第二下地材１ｂの基本形状は、第一下地材１ａと同じであるため、以下では、第一下地材１ａと異なる構成について重点的に説明し、共通する構成については、本文及び図中で符号を共通させて詳細な説明を省略する。
【００４０】
第二下地材１ｂは、図８に示すように、第一下地材１ａと同一の縦断面形状をなしている。すなわち、第二下地材１ｂは、第一下地材１ａと同様に、主板部２０、係止隆部２１、及び板固定部２２とからなる断面略逆Ｔ字状をなしており、係止隆部２１にハンガー５を固着し、また、板固定部２２の固定面部２３に天井板３を被着して、タッピンねじｓで螺着し得るよう構成されている。
【００４１】
ここで、第一下地材１ａでは、主板部２０の側面に連結部３０ａが形成されているのに対して、第二下地材１ｂには、図８，９に示すように、主板部２０の両端部に連結部３０ｂが形成されており、この連結部３０ｂを第一下地材１ａの連結部３０ａと嵌合させることにより、第一下地材１ａと第二下地材１ｂとをＴ字状に連結し得るよう構成されている。この連結部３０ｂは、主板部２０を構成する二枚重ねの鋼板を端部方向に延出させることにより形成される。連結部３０ｂは、平面視略Ｌ字状に折曲加工されており、主板部２０に対して直角状に突出する先端側の辺部を、前記嵌挿溝３１に挿入する連結挿入部４０としている。
【００４２】
連結挿入部４０は、上述の嵌挿溝３１に挿入可能なように、かつ、挿入後にガタつくことがないように、その断面形状が、嵌挿溝３１の形状と略等しくなるよう設計されている。また、連結挿入部４０は、第一下地材１ａと第二下地材１ｂの連結状態にあって、嵌挿溝３１を貫通した先端部４１が、嵌挿溝３１の突出口３４から突出するよう設計されている。
【００４３】
連結挿入部４０の先端部４１には、矩形状の係合溝孔４２が、高さ方向の略中央位置に形成される。この係合溝孔４２は、連結挿入部４０を構成する板材を孔抜き加工してなるものであり、両天井下地材１ａ，１ｂの連結状態で上述の第一下地材１ａの係合突起３５と嵌合するよう構成されている。
【００４４】
また、連結挿入部４０の先端には、切込み状の位置決め溝孔４３が、高さ方向の略中央位置に形成される。この位置決め溝孔４３は、天井下地材１ａ，１ｂの連結状態で、第一下地材１ａの位置決め突部３６と嵌合することで、連結挿入部４０の先端位置を規定するものである。
【００４５】
上記構成にあって、第一下地材１ａと第二下地材１ｂとをＴ字状に連結するためには、図１０，１１に示すように、第二下地材１ｂの連結挿入部４０を、第一下地材１ａの嵌挿溝３１の挿入口３３から挿入すればよい。位置決め溝孔４３が位置決め突部３６と嵌合するまで連結挿入部４０を挿入すると、係合溝孔４２と係合突起３５とが係合し、連結挿入部４０が嵌挿溝３１から引き抜き不能に係止される。
【００４６】
上記のように第一下地材１ａと第二下地材１ｂとをＴ字状に連結した状態で、さらに、第一下地材１ａの反対側の連結部３０ａにも第二下地材１ｂを連結すれば、三本の天井下地材１ａ，１ｂを十字状に連結できる。そして、本実施例では、多数の天井下地材１ａ，１ｂを十字状に相互連結することで、図１に示すように、天井下地材１ａ，１ｂによって碁盤目状の格子枠２を形成している。
【００４７】
本実施例の天井構造は、例えば、上述のようにして格子枠２を構成した後で、ハンガー５を格子枠２の適宜位置に固着して、ハンガー５を介して格子枠２を吊ボルト４に連結し、最後に天井板３を格子枠２の天井下地材１ａ，１ｂの下底面に固着することで施工することができる。
【００４８】
以上のように、本実施例の天井構造によれば、天井下地材１ａ，１ｂに直接ハンガー５を固着できるため、野縁受けを介して天井下地材（野縁）をハンガーに連結する従来の天井構造に比べて、部品の種類と部品点数を削減できるという利点がある。また、本実施例の天井構造では、天井下地材１ａ，１ｂとハンガー５の間に存在する連結機構が少なくなる分だけ耐震強度を向上させることができる。また、本実施例では、碁盤目状に組み付けられた天井下地材１ａ，１ｂに天井板３が固着されるため、天井下地材が平行に配置される従来の天井構造に比べて、天井板３を強固に支持できるという利点もある。
【００４９】
また、本実施例の天井下地材１ａ，１ｂは、従来の天井下地材（野縁）と同様に、一枚の帯状鋼板を折曲げ加工することにより製造できるから、上記のような利点を有しつつ、従来の天井下地材と同程度のコストで製造できる。
【００５０】
また、本実施例の天井下地材１ａ，１ｂでは、主板部２０の下端部の両側に固定面部２３が形成されており、図５に示すように、主板部２０の両側で天井板３を天井下地材１ａ，１ｂに固着できるため、天井下地材１ａ，１ｂによって天井板３をバランスよく支持できるという利点がある。
【００５１】
次に、上記実施例の天井下地材１ａ，１ｂの断面形状を変更した変形例について説明する。なお、以下の説明では、上記実施例と共通する構成については、本文及び図中で符号を共通させて詳細な説明を省略する。
【００５２】
図１２の天井下地材１ｃは、断面形状を略Ｌ字状にしたものである。詳述すると、本変形例にあっては、板固定部２２ａは、主板部２０の下端で、帯状鋼板を一方の外方にのみ折り曲げることで形成される。なお、主板部２０を構成する二枚重ねの鋼板のうち、一枚は主板部２０の下端を端縁としており、板固定部２２ａは一枚の板材で構成される。
【００５３】
そして、本変形例では、図１２に示すように、板固定部２２ａは、主板部２０の下端から水平方向に延出して、天井板３を固着する固定面部２３ａを形成し、さらに、固定面部２３ａの剛性を高めるために、外端部分を上面側に折り返して折返し部５０を形成している。
【００５４】
また、本変形例では、図１２に示すように、固定面部２３ａの下底面に、天井下地材１ｃの長手方向に沿った凹溝５１が複数本形成される。この凹溝５１は、天井板固着用のタッピンねじｓをねじ込む際に、ねじｓの先端が固定面部２３ａの表面で滑るのを防止して施工性を向上させるためのものであり、タッピンねじｓをねじ込むべき部分に、略隙間なく形成される。
【００５５】
かかる変形例を、上記実施例と比較すると、本変形例では、固定面部２３ａの幅方向の中央部位に溝が形成されていないため、固定面部２３ａの幅方向の中央部位にタッピンねじｓをねじ込むことができるという利点がある。
【００５６】
図１３の天井下地材１ｄは、板固定部２２ｂを断面略ロ字状に形成したものである。詳述すると、板固定部２２ｂは、主板部２０を構成する二枚の鋼板の下端を夫々外方に折り曲げて略水平に延出させてなる上部水平辺部５２，５２と、各上部水平辺部５２の外端を折り曲げて垂下させてなる垂直辺部５３、５３と、各垂直辺部５３の下端を内側に折り曲げて略水平に延出させてなる固定面部２３ｂ，２３ｂとからなる、断面略ロ字状をなしている。さらに、帯状鋼板は、剛性を高めるために、各固定面部２３の内端で、上方に折り曲げられて略垂直に起立する起立端部２４ａ，２４ａを形成している。
【００５７】
かかる変形例にあっては、板固定部２２ｂを断面略ロ字状にすることで、上記実施例に比べて、板固定部２２ｂの剛性を高められるという利点がある。
【００５８】
図１４の天井下地材１ｅは、板固定部２２ｃを階段状に形成したものである。詳述すると、板固定部２２ｃは、主板部２０を構成する二枚の鋼板の下端を夫々外方に折り曲げて、主板部２０の下端の両脇に下部嵌合溝２８とリブ２７とを形成し、そこから各鋼板を垂下させて垂直辺部５４を形成し、さらに各垂直辺部５４，５４の下端を外側に折り曲げて略水平に延出させることにより固定面部２３ｃ、２３ｃを形成している。
【００５９】
本変形例の天井下地材１ｅは、天井板３をステープルで固定面部２３ｃに固着し得るよう構成されている。具体的には、図１５に示すように、固定面部２３ｃの下底面には、ステープルを打ち込む位置に、天井下地材１ｅの幅方向に沿った凹溝５６が、天井下地材１ｅの長手方向に沿って略隙間なく並成される。図１５（ａ）に示すように、各凹溝５６の底部（図１５中の上部）には、天井下地材１ｅの幅方向に沿ったスリット５５が形成される。そして、各凹溝５６は、スリット５５に向けてテーパー状に縮幅しており、固定面部２３ｃの下底面にステープルを打ち込んだ時に、ステープルの先端が、凹溝５６の側面の案内作用によってスリット５５を貫通して、固定面部２３ｃと係合し得るよう構成されている。
【００６０】
なお、本変形例にあって、固定面部２３に並成される凹溝５６は、例えば、歯車状のローラーを固定面部２３の下底面に押し付けて、該ローラーを天井下地材１ｅの長手方向に転がすことで形成できる。ここで、かかる凹溝５６は、固定面部２３の長手方向の端部にまで切れ目なく形成されていると、当該端部で凹溝形成部分がバリとなり、様々な問題を引き起こすおそれがある。こうした問題を防止するため、本変形例の天井下地材１ｅでは、固定面部２３の長手方向の両端部に、凹溝５６を形成しない凹溝非形成部５７を設けている。
【００６１】
次に、上記実施例の天井下地材１ａ，１ｂの連結部３０ａ，３０ｂの構成を変更した変形例について説明する。なお、以下の説明では、上記実施例と共通する構成については、本文及び図中で符号を共通させて詳細な説明を省略する。
【００６２】
本変形例では、格子枠は、上記実施例とは連結部の構成の異なる二種類の天井下地材１ｆ，１ｇによって構成される。
【００６３】
一方の天井下地材１ｆ（以下、第三下地材という。）では、図１６に示すように、主板部２０の側面に連結部３０ｃが形成される。この連結部３０ｃは、主板部２０を貫通する２つの係合孔６０，６０を備えている。各係合孔６０，６０は縦長形状をなしており、相互に隣接して連続する開口部を形成している。また、各係合孔６０，６０の孔側縁には、後述する弾性係合部７３が嵌合可能な嵌合溝６１が形成される。
【００６４】
他方の天井下地材１ｇ（以下、第四下地材という。）では、図１７に示すように、主板部２０の両端部に、連結部３０ｄが形成される。この連結部３０ｄは、バネ性を有する比較的薄肉の板材を用いて形成されており、第四下地材１ｇの主板部２０の端部側面にかしめて接合される基板部７０と、該基板部７０の先端から第四下地材１ｇの長手方向に延出させる延成板部７１と、該延成板部７１の先端から略Ｕ字状に折り返された返し辺部７２と、該返し辺部７２の端縁に突成される、前記係合孔６０，６０の嵌合溝６１と嵌合可能な弾性係合部７３とを備えている。
【００６５】
本変形例にあって、第三下地材１ｆと第四下地材１ｇを連結する場合は、図１８，１９に示すように、第四下地材１ｇの連結部３０ｄを、第三下地材１ｆの係合孔６０に挿入すればよい。この時、連結部３０ｄの挿入に伴って、返し辺部７２が係合孔６０の端縁に押圧されて内側に撓んだ状態となる。そして、基板部７０が第三下地材１ｆの主板部２０の側面に当接する位置まで連結部３０ｄを挿入すると、内側に撓んでいた返し辺部７２が係合孔６０を通過して外側に復元し、弾性係合部７３が係合孔６０の嵌合溝６１と嵌合する。そして、かかる弾性係合部７３と嵌合溝６１の係合によって、第四下地材１ｇの連結部３０ｄが、係合孔６０から引き抜き不能に係止され、第三下地材１ｆと第四下地材１ｇの連結が完了する。
【００６６】
このように、本変形例では、第三下地材１ｆの主板部２０を貫通する係合孔６０に、第四下地材１ｇの端部に形成された連結部３０ｄを挿入することで、天井下地材１ｆ，１ｇをＴ字状に相互連結できる。また、上記のように第三下地材１ｆと第四下地材１ｇとをＴ字状に連結した状態で、さらに、隣の係合孔６０に別の第四下地材１ｇを裏側から連結すれば、三本の天井下地材１ｆ，１ｇを十字状に連結できる。したがって、本変形例にあっても、多数の天井下地材１ｆ，１ｇを十字状に相互連結することで、上記実施例同様に、碁盤目状の格子枠を形成できる。
【００６７】
このように、本発明では、天井下地材を相互連結するための連結機構は上記実施例の構成に限定されず、既知の連結機構を広く採用できる。また、本発明にあっては、第四下地材１ｇの連結部３０ｄのように、天井下地材の連結部を、主板部等を形成する帯状金属板とは別の金属片で構成することができる。
【００６８】
以上のように、本発明の実施形態を説明したが、本発明は、上記実施例及び変形例の形態に限らず本発明の要旨を逸脱しない範囲内において種々変更を加えることができる。
【００６９】
例えば、上記実施例の天井下地材は、一枚の帯状鋼板からなるものであるが、本発明の天井下地材は、複数の帯状鋼板を組み付けて形成することもできる。また、本発明の天井下地材によって構成される格子枠は、碁盤目状に限らず、あみだくじのように天井下地材が互い違いに組み付けられたものでも構わない。
【００７０】
また、本発明の天井構造には、ブレースなどの各種補強金具を適宜取り付けることができる。また、実施例の天井構造では、天井下地材１ａ，１ｂに固着されたハンガー５を、吊ボルト４に連結するよう構成されているが、本発明の天井構造は、ハンガーを吊ボルトに連結する構造に限らず、Ｈ鋼等からなる梁にハンガーを固定する構造も含む。
【符号の説明】
【００７１】
１ａ，１ｂ，１ｃ，１ｄ，１ｅ，１ｆ，１ｇ  天井下地材
２  格子枠
３  天井板
４  吊ボルト
５  ハンガー
２０  主板部
２１  係止隆部
２２，２２ａ，２２ｂ，２２ｃ  板固定部
２３，２３ａ，２３ｂ，２３ｃ  固定面部
２４  起立端部
３０ａ，３０ｂ，３０ｃ，３０ｄ  連結部
５０  折返し部
５１  凹溝
５５  スリット
５６  凹溝
５７  凹溝非形成部
ｓ  タッピンねじ
【図１】
2014231701.tif 000003
【図２】
2014231701.tif 000004
【図３】
2014231701.tif 000005
【図４】
2014231701.tif 000006
【図５】
2014231701.tif 000007
【図６】
2014231701.tif 000008
【図７】
2014231701.tif 000009
【図８】
2014231701.tif 000010
【図９】
2014231701.tif 000011
【図１０】
2014231701.tif 000012
【図１１】
2014231701.tif 000013
【図１２】
2014231701.tif 000014
【図１３】
2014231701.tif 000015
【図１４】
2014231701.tif 000016
【図１５】
2014231701.tif 000017
【図１６】
2014231701.tif 000018
【図１７】
2014231701.tif 000019
【図１８】
2014231701.tif 000020
【図１９】
2014231701.tif 000021